(57)【要約】【課題】  本発明は、階段ブロックをフィルタークロスを介して法面に取り付けることを可能とした法面における階段ブロックの施工方法および法面における一体式階段ブロックを提供することを目的とするものである。【解決手段】  本発明は、通水性を有するフィルタークロス１上に階段ブロック２を一定間隔ごとに固着し、この階段ブロック２間に法面保護用ブロック３を固着し、フィルタークロス１上の階段ブロック３を法面に対してアンカーピン６によって係着する構成とする。【選択図】        図１
2005213735.tif 000002
【特許請求の範囲】
【請求項１】
通水性を有するフィルタークロス上に階段ブロックを一定間隔ごとに固着する工程と、
該フィルタークロスを法面上に敷設し、フィルタークロス上の階段ブロックを法面に対して適宜手段によって係着する工程を備える
ことを特徴とする法面における階段ブロックの施工方法。
【請求項２】
前記フィルタークロス上の階段ブロックを法面に対してアンカーピンによって係着する
ことを特徴とする請求項１記載の法面における階段ブロックの施工方法。
【請求項３】
前記階段ブロックとの間に法面保護用ブロックを固着する工程を備える
ことを特徴とする請求項１または２記載の法面における階段ブロックの施工方法。
【請求項４】
前記法面保護用ブロックに植生用開口部を設けた
ことを特徴とする請求項３記載の法面における階段ブロックの施工方法。
【請求項５】
法面に対して敷設される通水性を有するフィルタークロスと、
該フィルタークロス上に一定間隔ごとに固着される階段ブロックを備える
ことを特徴とする法面における一体式階段ブロック。
【請求項６】
前記階段ブロックとの間に法面保護用ブロックを固着する
ことを特徴とする請求項５記載の法面における一体式階段ブロック。
【請求項７】
前記法面保護用ブロックに植生用開口部を設けた
ことを特徴とする請求項６記載の法面における一体式階段ブロックク
【請求項８】
前記階段ブロックにアンカーピン挿通用穴を貫通した
ことを特徴とする請求項５、６または７記載の法面における一体式階段ブロック。
【発明の詳細な説明】
【技術分野】
【０００１】
本発明は、法面における階段ブロックの施工方法および法面における一体式階段ブロックに関する。詳しくは護岸のための法面、公園やグランドなどの斜面に容易に設置することができる階段ブロックの施工方法および法面における一体式階段ブロックに係るものである。
【背景技術】
【０００２】
従来より護岸のために法面、公園内又は野外劇場の観客席等の斜面に階段ブロックを施工する場合には、図６に示すように、最下部の基礎コンクリート１０１から所定の勾配で裏込砕石１０２により整地された法面に階段ブロック１０３を連設する構成とする（例えば、特許文献１参照。）。
【０００３】
また、図７に示すように、法面に対して踏面部１０４、蹴上げ部１０５、控え安定盤１０６、側壁部１０７から構成される控え安定盤付き組立階段ブロック１０８を組み立て施工する（例えば、特許文献２参照。）。
【０００４】
【特許文献１】特開平７−１８６４２号（実施例、第１図）
【０００５】
【特許文献２】特開２００２−２０６３２１号（発明の実施の形態、第１図）
【発明の開示】
【発明が解決しようとする課題】
【０００６】
前記特許文献１における階段ブロックでは、階段ブロックを設ける前に法面を掘り下げて所定の勾配での裏込砕石を行い、その上に階段ブロックを連設するものである。しかし水位の変化が著しい護岸などの法面では、常に湿潤状態の場合が多く、地面が非常に軟弱であるために、裏込砕石による基礎施工が煩雑かつ手間がかかる問題がある。
【０００７】
また、特許文献２における階段ブロックでは、法面に対して踏面部、蹴上げ部、側壁部を連結ネジ釘によって連結組み立てた控え安定盤付き組立階段ブロックを滑り止め杭によって打ち付けるものである。しかし法面は常に湿潤状態の場合が多く、雨が降り続くときには内部より水が噴出して法面が崩れ落ちることが多く、そのために滑り止め杭だけによる階段ブロックの法面への取り付けでは非常に不安定となる問題がある。
【０００８】
本発明は、以上の点に鑑みて創案されたものであって、階段ブロックをフィルタークロスを介して法面に取り付けることを可能とした法面における階段ブロックの施工方法および法面における一体式階段ブロックを提供することを目的とするものである。
【課題を解決するための手段】
【０００９】
上記の目的を達成するために、本発明に係る法面における階段ブロックの施工方法は、通水性を有するフィルタークロス上に階段ブロックを一定間隔ごとに固着する工程と、該フィルタークロスを法面上に敷設し、フィルタークロス上の階段ブロックを法面に対してアンカーピンによって係着する工程を備える。
【００１０】
ここで、法面に対して水のみを通すフィルタークロスをアンカーピンによって取り付けることで、降雨による土砂の流出を防ぐことが可能となる。また、フィルタークロスの網目を通り法面から植物が植生することによりフィルタークロスと法面とが一体化し、確固たる階段ブロックの施工が可能となる。
【００１１】
また、上記の目的を達成するために、本発明に係る法面における階段ブロックは、法面に対して敷設される通水性を有するフィルタークロスと、該フィルタークロス上に一定間隔ごとに固着される階段ブロックを備える。
【００１２】
ここで、フィルタークロスは引張強度が大きく耐久性の優れたポリエチレン、ポリエステル等の合成繊維により土砂を通さず、水のみが通るように織り込まれたものであり、この上にコンクリート製品である階段ブロックを接着剤によって固着することによって、法面に対してフィルタークロスをアンカーピンによって取り付けることで容易に階段ブロックの施工が行えるものである。
【００１３】
なお、法面保護用ブロックを階段ブロックとの間に設置することによって、階段ブロックが法面上を滑ることなく安定した施工となり、更に法面保護用ブロックに植生用開口部を設けることでフィルタークロスおよび法面保護用ブロック並びに階段ブロックが法面に対して一体となって施工することが可能となる。
【発明の効果】
【００１４】
本発明では、施工前に工場等でフィルタークロス上に階段ブロックを接着剤によって取り付けることによって、現場まで運搬し、クレーンによって吊上げて法面に載置し、アンカーピンによって取り付けることで短時間のうちに容易に施工することが可能となる。
【００１５】
また、フィルタークロスによって降雨でも土砂が流出することが無く、法面の型崩れを起こすことなく、かつ法面からの植生によってフィルタークロス、法面保護用ブロック及び階段ブロックが法面と一体となって施工されることになる。
【発明を実施するための最良の形態】
【００１６】
図１に、本発明を適用した法面における階段ブロックの施工方法の一例を示す側面説明図、図２は、図１における平面説明である。
ここで示すように、予め工場等で階段の全長以上および幅以上の面積を有するフィルタークロス１上に、階段ブロック２、２・・を耐久性のよいエポキシ樹脂系の接着剤によって一定間隔ごとに固着するものである。
【００１７】
そして階段ブロック２との間および階段ブロック周囲に対して法面保護用ブロック３を接着剤によって敷き詰めるものである。この法面保護用ブロック３は、その中央および各辺に植生用穴部４が設けられており、これらの植生用穴部４がフィルタークロス１上に露出した状態とされるものである。
【００１８】
また、階段ブロック２にはアンカーピン挿通用穴５が貫設され、このアンカーピン挿通用穴５内へアンカーピン６を通して法面７に差し込むことにより、階段ブロック２およびフィルタークロス１を法面７上に取り付ける。
【００１９】
そこで現場までトラック等によって運び込み、階段ブロックおよび法面保護用ブロックが固着されたフィルタークロスをクレーンによって吊上げて所定の法面箇所に降ろすことで、容易に法面上に階段を設置することが可能となる。
【００２０】
また、図３に示すように、フィルタークロス１の網目を通り植物８が植生することにより法面７とフィルタークロス１とが一体化する。更にフィルタークロス１の網目を通り法面保護用ブロック３の植生用穴部４の植生用穴部４から植物８が植生することにより、法面保護用ブロック３はフィルタークロス１と共に法面７上に強固に係着することとなり、この面保護用ブロック３に周囲を囲まれた階段ブロック２を更に安定化させることになる。
【００２１】
次に、本発明を適用した法面における一体式階段ブロックの一例を示すものである。
ここで示す一体式階段ブロック９は、本発明を適用した法面における階段ブロックの施工方法の一例で示すように、フィルタークロス１と、このフィルタークロス１上に一定間隔ごとに接着剤によって固着される階段ブロック２と、この階段ブロック２との間および周囲に接着剤によって固着される法面保護用ブロック３とから構成されるものである。
【００２２】
そこでフィルタークロス１は、引張強度が大きく耐久性が高いポリエスチレン、ポリエステル等の合成繊維により水のみが通過する網目が形成されるように織製されるものである。
【００２３】
また、図４に示すように階段ブロック２は、コンクリート二次製品として底面１０、立ち上がり面１１および足載せ面１２から構成され、足載せ面１２に垂直状にアンカーピン挿通用穴５が４個穿孔されるものである。更に法面の傾斜角度に応じて底面１０と立ち上がり面１１との対比を１．５：１あるいは２：１とすることにより足載せ面１２が水平状となるようにする。
【００２４】
次に、図５に示すように法面保護用ブロック３は、４辺が正方形とされるコンクリートブロック体でありその中央に円形状の植生用穴部４が貫設され、更にそのコーナーおよび各辺の中央には半円形状の植生用溝部１３を形成するものである。従って各法面保護用ブロック３を敷き詰めた場合には、各法面保護用ブロック３間および階段ブロック２との間に植生用穴部４が形成されることとなる。
【００２５】
また、アンカーピン６は図４に示すように、２個のアンカーピン挿通用穴５に跨るように二股状に折り曲げ形成されるものであり、このアンカーピン６によって４個のアンカーピン挿通用穴５を２個のアンカーピン６によって垂直状に法面に刺し通すことに階段ブロック２が法面に対して係着される。
【００２６】
以上の構成よりなる本発明では、階段ブロックおよび法面保護用ブロックがフィルタークロスに固着されているために、法面に対して個々の階段ブロックおよび法面保護用ブロックを取り付けることがなく、フィルタークロスを法面に対して敷設することで短時間のうちに容易に施工することが可能となる。
【００２７】
また、法面から植生によってフィルタークロスおよび法面保護用ブロックが一体となって強固に係着される。更にフィルタークロスが水のみを通過させることで、土砂の流出を防ぎ、階段ブロックの陥没やズレを生じさせないものである。
【００２８】
なお、法面に対する階段ブロックの係着機構は必ずしもアンカーピンによってなされるものでは無く、容易に係着できる機構であればどのような機構であっても構わない。
【００２９】
また、階段ブロック、あるいは法面保護用ブロックのフィルタークロスへの固着は必ずしも接着剤によりなされるものでは無く、耐久性があり、かつ強固に固着できるものであればいかなるものであっても構わない。
【００３０】
また、本発明の階段ブロックは、護岸用法面の他、公園などの傾斜面や山林などにおける作業用としての階段として活用することが可能となるものである。
【図面の簡単な説明】
【００３１】
【図１】本発明を適用した法面における階段ブロックの施工方法の一例を示す側面説明図である。
【図２】図１における平面説明図である。
【図３】法面とフィルタークロスおよび法面保護用ブロックとの係着状態を示す説明図である。
【図４】本発明を適用した法面における一体式階段ブロックの階段ブロックの斜視図である。
【図５】本発明を適用した法面における一体式階段ブロックの法面保護用ブロックの説明図である。
【図６】従来における階段ブロックの施工方法を示す説明図である。
【図７】従来における他の階段ブロックの施工方法を示す説明図である。
【符号の説明】
【００３２】
１      フィルタークロス
２      法面保護用ブロック
３      階段ブロック
４      植生用穴部
５      アンカーピン挿通用穴
６      アンカーピン
７      法面
８      植物
９      一体式階段ブロック
１０    底面
１１    立ち上がり面
１２    足載せ面
１３    植生用溝部
【図１】
2005213735.tif 000003
【図２】
2005213735.tif 000004
【図３】
2005213735.tif 000005
【図４】
2005213735.tif 000006
【図５】
2005213735.tif 000007
【図６】
2005213735.tif 000008
【図７】
2005213735.tif 000009
【手続補正書】
【提出日】平成16年9月10日(2004.9.10)
【手続補正１】
【補正対象書類名】明細書
【補正対象項目名】００３２
【補正方法】変更
【補正の内容】
【００３２】
１    フィルタークロス
２    階段ブロック
３    法面保護用ブロック
４    植生用穴部
５    アンカーピン挿通用穴
６    アンカーピン
７    法面
８    植物
９    一体式階段ブロック
１０  底面
１１  立ち上がり面
１２  足載せ面
１３  植生用溝部
【手続補正２】
【補正対象書類名】図面
【補正対象項目名】図１
【補正方法】変更
【補正の内容】
【図１】
2005213735.tif 000010
【手続補正３】
【補正対象書類名】図面
【補正対象項目名】図２
【補正方法】変更
【補正の内容】
【図２】
2005213735.tif 000011
【手続補正４】
【補正対象書類名】図面
【補正対象項目名】図３
【補正方法】変更
【補正の内容】
【図３】
2005213735.tif 000012
【手続補正５】
【補正対象書類名】図面
【補正対象項目名】図５
【補正方法】変更
【補正の内容】
【図５】
2005213735.tif 000013